(57)【要約】【課題】音響の低下を招くことなく、発光量を十分に確保して視覚的な刺激を高め、演出効果を有効に高め得る遊技機を提供する。【解決手段】遊技機は、遊技機前面の一部を構成する透光性を有するランプカバー３７と、このランプカバーの裏面側に配置され、遊技状態に応じて発光する複数の光源を表面側に実装してなる光源基板３６と、この光源基板の裏面側に配置され、遊技状態に応じて発音部３４ａから発音するスピーカ３４とを備える。光源基板に、スピーカの発音部から発せられる音を前方に通すための発音部と同一形状又は近似する形状の開口部４３を形成するとともに、ランプカバーに、この光源基板の開口部に対応して放音部４４を形成する。このランプカバーと光源基板との間に、光源基板の開口部周辺の光源から発せられる光をランプカバーの放音部寄りに導く導光体４５を配置する。【選択図】      図３
2006026278.tif 000002
【特許請求の範囲】
【請求項１】
遊技機前面の一部を構成する透光性を有するランプカバーと、
このランプカバーの裏面側に配置され、遊技状態に応じて発光する複数の光源を表面側に実装してなる光源基板と、
この光源基板の裏面側に配置され、遊技状態に応じて発音部から発音するスピーカとを備えており、
上記光源基板にはスピーカの発音部から発せられる音を前方に通すための発音部と同一形状又は近似する形状の開口部が形成されているとともに、上記ランプカバーにはこの光源基板の開口部に対応して放音部が形成されており、このランプカバーと光源基板との間には光源基板の開口部周辺の光源から発せられる光をランプカバーの放音部寄りに導く導光体が配置されていることを特徴とする遊技機。
【請求項２】
上記スピーカは、発音部が円錐形状の振動板よりなるコーン形ダイナミックスピーカであり、上記光源基板の開口部は略円形状に形成されている請求項１記載の遊技機。
【請求項３】
上記放音部は、光源基板の開口部の形状に対応して略円形状にかつ多数の小孔により形成されてなる請求項２記載の遊技機。
【請求項４】
上記導光体は、光源基板側の端の内径がランプカバー側の端の内径よりも大きい円筒状のもので、この導光体の光源基板側端の内径は、光源基板の開口部の直径よりも所定寸法大きく設定されており、光源基板の開口部周辺の光源が導光体の内側に位置するようになっている請求項２又は３記載の遊技機。
【請求項５】
上記導光体は、光源基板の開口部よりも一回り大きい円環状のリング部と、このリング部から中心に向かって延び中心で互いに結合する複数のブレード部とを有してなり、光源基板の開口部周辺の光源がこの導光体のリング部に対向するようになっている請求項２又は３記載の遊技機。
【請求項６】
上記導光体は、中心から放射状にかつ半球面に沿うように各々円弧状に延びる複数の脚部を有してなり、光源基板の開口部周辺の光源がこの導光体の各脚部の内側に位置するようになっている請求項２又は３記載の遊技機。
【請求項７】
上記導光体は、透光性を有する合成樹脂からなる請求項４〜６のいずれか一つに記載の遊技機。
【請求項８】
上記ランプカバーを保持するフレームを備えており、このフレームには遊技者に向かって音を放出するための放音部が設けられているともに、上記導光体にはこの放音部に対応して開口部が設けられている請求項４記載の遊技機。
【発明の詳細な説明】
【技術分野】
【０００１】
本発明は、スロットマシンやパチンコ機などの遊技機に関し、特に遊技中に音や光による演出を行うものに係わる。
【背景技術】
【０００２】
一般に、遊技機においては、その前面側にスピーカ及び発光装置を別々に設け、ボーナスゲームに入賞したときなどにスピーカから効果音を発するとともに、発光装置を点灯又は点滅させることにより演出を行っている。
【０００３】
ところが、遊技機の前面側には、遊技を行うための種々の機器が設けられているため、上記スピーカ及び発光装置を個別に設ける限りスペース的にこれらを大型化することができず、その分演出効果を高めることができない。特に、スロットマシンでは、遊技機前面の上部に音響効果を高めるために左右一対のスピーカを設けることがあるが、この場合、同じく上部に設けられる発光装置としての上部ランプは、その分大きくすることができず、発光量が少なく視覚的な刺激に乏しいという問題があった。
【０００４】
そこで、このような問題を解決するために、例えば特許文献１に開示されるように、スピーカと発光装置とを遊技機の前面側の同一個所に一体的に設けたものが提案され、公知になっている。すなわち、この公知技術は、スピーカと、このスピーカから発せられる音を外部に放出する放音孔を有するスピーカカバーとの間に、複数のＬＥＤ（発光ダイオード）を実装してなる光源基板を配置し、この光源基板にスピーカから発せれる音をスピーカカバー側に通すための複数のスリット（透音部ともいう）を設けるとともに、スピーカカバーを透光性を有する材質により構成し、スピーカカバーにランプカバーとしての機能を兼備させるようにしたものである。
【特許文献１】特開２００３−１２６３３８号公報
【発明の開示】
【発明が解決しようとする課題】
【０００５】
しかし、上記公知技術のものでは、光源基板に設けた複数のスリットによりスピーカからの音をスピーカカバー側に通すようにしているが、このスリットの形状及びスリットがスピーカの発音部を覆う面積がスピーカの発音部の面積の半分程度に過ぎないことなどから、音響が質的にも量的にも大きく低下することが懸念される。
【０００６】
本発明はかかる点に鑑みてなされたものであり、その課題とするところは、上記公知技術のものに更に改良を加えて、音響の低下を招くことなく、発光量を十分に確保して視覚的な刺激を高め、もって演出効果を有効に高め得る遊技機を提供せんとするものである。
【課題を解決するための手段】
【０００７】
上記の課題を解決するため、請求項１に係る発明は、遊技機として、遊技機前面の一部を構成する透光性を有するランプカバーと、このランプカバーの裏面側に配置され、遊技状態に応じて発光する複数の光源を表面側に実装してなる光源基板と、この光源基板の裏面側に配置され、遊技状態に応じて発音部から発音するスピーカとを備える。そして、上記光源基板に、スピーカの発音部から発せられる音を前方に通すための発音部と同一形状又は近似する形状の開口部を形成するとともに、上記ランプカバーに、この光源基板の開口部に対応して放音部を形成する。また、このランプカバーと光源基板との間に、光源基板の開口部周辺の光源から発せられる光をランプカバーの放音部寄りに導く導光体を配置する構成にする。
【０００８】
この構成では、光源基板においてスピーカの発音部から発せられる音を前方つまりランプカバーの放音部側に通すための開口部がスピーカの発音部と同一形状又は近似する形状に形成されているため、この光源基板によりスピーカの発音部から発せられかつランプカバーの放音部から外部に放出される音響が質的にも量的にも低下することは殆どない。しかも、ランプカバーの放音部は、光源基板の開口部に対向し、光源基板上の光源とは直接対向していないが、このランプカバーの放音部には導光体により光源基板の開口部周辺の光源から発せられる光が導かれるため、この放音部を含めてランプカバー全面が明るく発光することになり、発光面積及び発光量が共に増大する。尚、近似する形状とは、スピーカの発音部が矩形状である場合に光源基板の開口部を円形状又は楕円形状にしたり、スピーカの発音部が円形状である場合に光源基板の開口部を矩形状にしたりすることなどを含む意味である。
【０００９】
請求項２に係る発明は、請求項１記載の遊技機において、好ましい具体的な形態を提供する。すなわち、上記スピーカを、発音部が円錐形状の振動板よりなるコーン形ダイナミックスピーカで構成し、上記光源基板の開口部を略円形状に形成する構成にする。この構成では、コーン形ダイナミックススピーカの使用により音響効果を高めることができる。
【００１０】
請求項３に係る発明は、請求項２記載の遊技機において、上記放音部の具体的な形態を提供するものである。すなわち、放音部を、光源基板の開口部の形状に対応して略円形状にかつ多数の小孔により形成する構成にする。
【００１１】
請求項４に係る発明は、請求項２又は３記載の遊技機において、上記導光体の好ましい具体的な形態を提供するものである。すなわち、導光体を、光源基板側の端の内径がランプカバー側の端の内径よりも大きい円筒状のものとし、この導光体の光源基板側端の内径を、光源基板の開口部の直径よりも所定寸法大きく設定し、光源基板の開口部周辺の光源を導光体の内側に位置させるように構成する。この構成では、光源基板の開口部周辺の光源から発せられた光が先細り円筒状の導光体の内壁面に反射しながらランプカバーの放音部寄りに確実に導かれる。また、光源基板の開口部を通ってランプカバーの放音部に伝播されるスピーカからの音は、導光体により伝播経路が制限され、ランプカバーでの反射音との干渉が抑制されることなどから、スピーカの音響を高めることができる。
【００１２】
請求項５及び６に係る発明は、いずれも請求項４に係る発明とは別に、請求項２又は３記載の遊技機において、上記導光体のより具体的な形態を提供するものである。
【００１３】
すなわち、請求項５に係る発明では、上記導光体は、光源基板の開口部よりも一回り大きい円環状のリング部と、このリング部から中心に向かって延び中心で互いに結合する複数のブレード部とを有してなり、光源基板の開口部周辺の光源がこの導光体のリング部に対向する構成になっている。この構成では、光源基板の開口部周辺の光源から発せられた光は、導光体のリング部内を通して、あるいはこのリング部内から更に導光体のブレード部内を通してランプカバーの放音部寄りに導かれる。
【００１４】
また、請求項６に係る発明では、上記導光体は、中心から放射状にかつ半球面に沿うように各々円弧状に延びる複数の脚部を有してなり、光源基板の開口部周辺の光源がこの導光体の各脚部の内側に位置する構成になっている。この構成では、光源基板の開口部周辺の光源から発せられた光は、導光体の各脚部内を通して、あるいはこの各脚部の内面に反射してランプカバーの放音部寄りに導かれる。
【００１５】
請求項７に係る発明は、請求項４〜６のいずれか一つに記載の遊技機において、上記導光体を、透光性を有する合成樹脂により構成する。この構成では、導光体が比較的複雑な形状の場合にも合成樹脂の特性により容易に成形することができる。
【００１６】
請求項８に係る発明は、請求項４記載の遊技機において、更に、上記ランプカバーを保持するフレームを備え、このフレームに、遊技者に向かって音を放出するための放音部を設けるとともに、上記導光体にこの放音部に対応して開口部を設ける構成にする。この構成では、スピーカの発音部から発せられた音がランプカバーの放音部から前方つまり遊技者側に放出されるだけでなく、導光体の開口部を通してフレームの放音部からも遊技者に向けて放出されるため、音響をより高めることができる。
【発明の効果】
【００１７】
以上のように、本発明の遊技機によれば、スピーカの発音部からの音をランプカバーの放音部に通すための光源基板の開口部がスピーカの発音部と同一形状又は近似する形状に形成されているため、光源基板による音響の低下を防止することができる。しかも、光源基板の開口部に対向するランプカバーの放音部には導光体により光源基板の開口部周辺の光源から発せられる光が導かれるため、ランプカバー全面を明るく発光させて発光面積及び発光量を共に増大させることができ、聴覚的にも視覚的にも演出効果を有効に高めることができる。
【００１８】
特に、請求項４に係る発明では、先細り円筒状の導光体により光源基板の開口部周辺の光源から発せられた光を確実にランプカバーの放音部寄りに導くことができる上、光源基板の開口部を通ってランプカバーの放音部に伝播される音の伝播経路を制限してランプカバーでの反射音との干渉を抑制することができ、スピーカの音響を高めることができる。
【００１９】
また、請求項８に係る発明では、スピーカの発音部から発せられた音がランプカバーの放音部から放出されるだけでなく、導光体の開口部を通してフレームの放音部からも遊技者に向けて放出されるため、音響をより高めることができ、演出効果の向上を一層図ることができる。
【発明を実施するための最良の形態】
【００２０】
以下、本発明を実施するための最良の形態である実施形態を図面に基づいて説明する。
【００２１】
図１は本発明の第１の実施形態に係る遊技機としてのスロットマシンＡの外観を示す。このスロットマシンＡは、その遊技面である前面が前扉１により構成されており、この前扉１は、筐体の前方開口部（図示せず）に開閉可能に取り付けられている。
【００２２】
上記前扉１は、左右両側の端フレーム２Ｌ，２Ｒ同士を上部フレーム３、中間フレームとしての操作盤４及び下部フレーム５でそれぞれ連結して枠構造が構成されており、上部フレーム３には上部ランプ６、上部パネル７及び上部表示装置８などが取り付けられている。また、操作盤４上には操作部としてのメダル投入口１１、始動スイッチ１２及び３つの停止スイッチ１３，１３，１３などが適宜配置されている。
【００２３】
上記前扉１の中央部には中間パネル１６が装着されており、この中間パネル１６の周囲は上部フレーム３，左右の端フレーム２Ｌ，２Ｒ及び操作盤４により支持されている。中間パネル１６は、アクリル板のような透明な合成樹脂板や強化ガラス板などの裏面にシルクスクリーン印刷により絵柄や模様などを施してなり、この中間パネル１６の中央部には、シルクスクリーン印刷を施さず透明なままの部分である矩形状のリール表示窓１７が形成されている。このリール表示窓１７からは、筐体内に配置されたリール装置の３つの回転リール１８，１８，１８の各外周面に一列に描かれた図柄（図示せず）が３つずつ見えるようになっており、始動スイッチ１２の操作により各回転リール１８を回転させた後停止スイッチ１３の操作によりその回転を停止させたときリール表示窓１７の有効ライン上に所定の図柄が揃うか否かによって遊技が行われる。
【００２４】
上記前扉１の下部（詳しくは操作盤４と下部フレーム５との間）には下部パネル２０が下部パネル枠２１により周囲を保持した状態で装着されており、この下部パネル２０は、タイトルパネルとして矩形状の合成樹脂板の裏面に機種名などを印刷してなる。また、前扉１の下部フレーム５にはメダル払出口２２が設けられているとともに、このメダル払出口２２から払い出されるメダルを受け取るためのメダル受け皿２３が取り付けられている。
【００２５】
上記上部フレーム３及びこれに取り付けられる上部ランプ６などは、上部ユニット３０を構成しており、この上部ユニット３０の構造は、図２ないし図５に詳示している。すなわち、上部フレーム３は、両端が端フレーム２Ｌ，２Ｒに連結される基礎フレーム３１と、この基礎フレーム３１に装着された２つの枠フレーム３２，３３とからなる。基礎フレーム３１の中央部には上部パネル７及び上部表示装置８が上部パネル７を上側にして上下に取り付けられているとともに、基礎フレーム３１の裏面側の左右両側には一対のスピーカ３４，３４が取り付けられている。上部パネル７は、アクリル板のような透明な合成樹脂板の裏面にシルクスクリーン印刷により配当表などの説明事項又は装飾模様などを施したものである。上部表示装置８は、遊技演出やメッセージなどを表示するためのもので、ドットマトリックス表示器、液晶表示装置又はその他の表示装置などからなる。この上部パネル７及び上部表示装置８の周縁部は、共に枠フレーム３３により覆われている。
【００２６】
上記上部ランプ６は、上記基礎フレーム３１の表面側に取り付けられた光源基板３６と、この光源基板３６を覆ってスロットマシンＡの前面の一部を構成するように上記枠フレーム３２に保持された４つのランプカバー３７，３８，３９，３９とを有している。光源基板３６は、図６に示すように、その表面側に複数ないし多数の光源としての発光ダイオード４１，４１，…を実装してなり、この光源基板３６の各発光ダイオード４１は、光源基板３６に電気的に接続された筐体側の制御基板（図示せず）からの制御指令に基づいて点灯又は点滅し、遊技状態に応じて発光するようになっている。４つのランプカバー３７，３８、３９，３９は、いずれも透光性を有するアクリル樹脂などの合成樹脂からなるが、光源基板３６の大部分を覆うランプカバー３７と他のランプカバー３８，３９とは色が異なり、例えば赤色と黄色とにそれぞれ発光するようになっている。尚、図３ないし図５では、光源基板３６上の発光ダイオード４１を省略している。
【００２７】
また、上記各スピーカ３４は、光源基板３６の発光ダイオード４１と同様に筐体側の制御基板からの制御指令に基づいて、遊技状態に応じて発音部３４ａから発音するもので、本実施形態の場合、発音部３４ａが円錐形状の振動板よりなるコーン形ダイナミックスピーカである。上記基礎フレーム３１には、スピーカ３４の発音部３４ａに対応して開口部４２が設けられており、スピーカ３４は、その発音部３４ａをこの開口部４２に向けた状態で基礎フレーム３１の裏面側に取り付けられている。
【００２８】
上記上部ランプ６の光源基板３６、ランプカバー３７及びスピーカ３４の３者のうち、ランプカバー３７が最も前側に配置され、このランプカバー３７の裏面側に光源基板３６が配置され、この光源基板３６の裏面側に更にスピーカ３４が配置されている。そして、この配置状態に対応して、上記光源基板３６には、図３及び図６に示すように、スピーカ３４の発音部３４ａから発せられる音を前方つまりランプカバー３７側に通すための左右一対の開口部４３，４３が形成されているとともに、上記ランプカバー３７には、図２及び図３に示すように、この光源基板３６の開口部４３，４３に各々対応して左右一対の放音部４４，４４が形成されている。光源基板３６の各開口部４３は、スピーカ３４の発音部３４ａと同一形状の円形状のもので、その直径はスピーカ３４の発音部３４ａのそれよりも小さく設定されている。また、上記各放音部４４は、光源基板３６の開口部４３の形状に対応して略円形状にかつ多数の小孔により形成されてなり、その大きさも光源基板３６の開口部４３と略同じに設定されている。
【００２９】
上記光源基板３６にはその各開口部４３の周辺にも複数の発光ダイオード４１，４１，…が設けられているとともに、光源基板３６とランプカバー３７との間には、この各開口部４３周辺の発光ダイオード４１，４１，…から発せられる光をそれぞれランプカバー３７の放音部４４寄りに導く左右一対の導光体４５，４５が配置されている。この各導光体４５は、図７にも示すように、光源基板３６側の端の内径がランプカバー３７側の端の内径よりも大きいいわゆる先細り円筒状のものであり、導光体４５の光源基板３６側端には、導光体４５を光源基板３６上にねじ止めするための３つの取付部４５ａ，４５ａ，４５ａが円周方向に略等間隔に一体的に形成されている。この導光体４５の光源基板３６側端の内径は、光源基板３６の開口部４３の直径よりも所定寸法大きく設定されており、光源基板３６の開口部４３周辺の発光ダイオード４１，４１，…は、導光体４５の内側に位置するようになっている。一方、導光体４５のランプカバー３７側端の内径は、ランプカバー３７の放音部４４の直径と略同一に設定されている。また、導光体４５は、透光性を有するＡＢＳ樹脂などの合成樹脂からなり、その表面は乱反射を生じさせるよう少し粗め（いわゆる磨りガラス状）に形成されている。
【００３０】
さらに、上記枠フレーム３２には、ランプカバー３７の放音部４４とは別にかつこの放音部４４に近接しかつ中間パネル１６に臨む部位に上記スピーカ３４からの音を遊技者に向かって放出するための左右一対の放音部５０，５０が設けられており、この各放音部５０は、枠フレーム３２の傾斜面３２ａに設けた多数の貫通孔５１，５１，…と、枠フレーム３２の傾斜面３２ａに設けたノズル５２とからなる。また、上記各導光体４５には、それぞれこの放音部５０に対応して、導光体４５の光源基板３６側端を円弧状に切り欠いてなる開口部５３が設けられている。
【００３１】
次に、上記スロットマシンＡの作用・効果を説明するに、ビッグボーナスの入賞時など所定の遊技状態になったときには、筐体側の制御基板からの制御指令に基づいて、上部ランプ６などが点灯又は点滅するとともに、上部ランプ６の光源基板３６の裏面側に配置された左右一対のスピーカ３４，３４から効果音が発せられることにより、遊技演出が行われる。この場合、上記各スピーカ３４に対応して、上部ランプ６の光源基板３６にスピーカ３４の発音部３４ａと同一の円形状の開口部４３が形成されているとともに、上部ランプ６のランプカバー３７にこの開口部４３に対応して略円形状でかつ多数の小孔よりなる放音部４４が形成されているため、各スピーカ３４の発音部３４ａから発せられた音は、光源基板３６の開口部４３を通してランプカバー３７の放音部４４から外部にスムーズに放出されることになり、音響が質的にも量的にも低下することは殆どない。
【００３２】
また、上記ランプカバー３７の放音部４４は、光源基板３６の開口部４３に対向し、光源基板３６上の発光ダイオード４１とは直接対向していないが、このランプカバー３７の放音部４４に対しては、光源基板３６の開口部４３周辺などの発光ダイオード４１から発せられる光が光源基板３６とランプカバー３７との間の空間での発散により照射されるだけでなく、導光体４５により光源基板３６の開口部４３周辺の発光ダイオード４１から発せられる光が強制に導かれるため、この放音部４４を含めてランプカバー３７全面が明るく発光する。この結果、上部ランプ６のランプカバー３７，３８，３９全体の発光面積が大きいことと相俟って発光量を増大させることができ、視覚的な演出効果を高めることができる。
【００３３】
特に、本実施形態の場合、上記導光体４５は、先細り円筒状のもので、その取付側である光源基板３６側端の内径が光源基板３６の開口部４３の直径よりも大きく設定されており、光源基板３６の開口部４３周辺の発光ダイオード４１がこの導光体４５の内側に位置しているため、光源基板３６の開口部４３周辺の発光ダイオード４１から発せられる光は、導光体４５の内壁面に反射ないし乱反射しながらランプカバー３７の放音部４４寄りに確実に導かれる。また、発光ダイオード４１から発せられる光の一部は、導光体４５の内部で多重反射した後、導光体４５の内壁より出て、ランプカバー３７の放音部４４に向かうことになり、ランプカバー３７の放音部４４の明るさを高めることができる。その上、光源基板３６の開口部４３を通ってランプカバー３７の放音部４４に伝播されるスピーカ３４からの音は、導光体４５により伝播経路が制限され、ランプカバー３７での反射音との干渉が抑制されることなどから、スピーカ３４の音響を高めることができ、聴覚的な演出効果をも高めることができる。
【００３４】
さらに、上記スピーカ３４の発音部３４ａから発せられた音は、ランプカバー３７の放音部４４から前方つまり遊技者側に放出されるだけでなく、導光体４５の開口部５３を通して枠フレーム３２の放音部５０からも遊技者に向けて放出されるため、スピーカ３４にコーン形ダイナミックススピーカを使用したことと相俟って音響をより高めることができ、聴覚的な演出効果を一層高めることができる。
【００３５】
図８及び図９はそれぞれ本発明の第２及び第３の実施形態として、いずれも上記導光体４５の変形例を示す。尚、第２及び第３の実施形態の場合、導光体以外の構成は、第１の実施形態の場合と同じであり、以下の説明では導光体以外の部材・部品に第１の実施形態の場合と同一の符号を用いる。
【００３６】
すなわち、図８に示す第２の実施形態の場合、導光体６０は、光源基板３６の開口部４３よりも一回り大きい円環状のリング部６０ａと、このリング部６０ａの３個所からそれぞれ中心に向かって延び中心で互いに結合する３つのブレード部６０ｂ，６０ｂ，６０ｂとを有してなり、この導光体６０のリング部６０ａ及びブレード部６０ｂは、共に断面半円形状に形成されている。また、導光体６０は、透光性を有するＡＢＳ樹脂などの合成樹脂からなる。そして、導光体６０は、そのリング部６０ａを光源基板３６の開口部４３周辺の発光ダイオード４１，４１，…に所定寸法隔てて対向させた状態で光源基板３６又はランプカバー３７に取り付けられる。この場合、光源基板３６の開口部４３周辺の発光ダイオード４１から発せられた光は、導光体６０のリング部６０ａ内を通して、あるいはこのリング部６０ａ内から更に導光体６０のブレード部６０ｂ内を通してランプカバー３７の放音部４４寄りに導かれる。
【００３７】
また、図９に示す第３の実施形態の場合、導光体７０は、中心から放射状にかつ半球面に沿うように各々円弧状に延びる複数（図では８つ）の脚部７０ａ，７０ａ，…を有してなり、この各脚部７０ａは、いずれも断面矩形状に形成されている。また、導光体７０は、透光性を有するＡＢＳ樹脂などの合成樹脂からなる。そして、導光体７０は、各脚部７０の内側にそれぞれ光源基板３６の開口部４３周辺の発光ダイオード４１を位置させた状態で光源基板３６に取り付けられる。この場合、光源基板３６の開口部４３周辺の発光ダイオード４１から発せられた光は、導光体７０の各脚部７０ａ内を通して、あるいはこの各脚部７０ａの内面に反射してランプカバー３７の放音部４４寄りに導かれる。また、各脚部７０ａ内に入射した光が多重反射を繰り返し、各脚部７０ａの外面を通してランプカバー３７の放音部４４寄りに導かれることもある。
【００３８】
そして、上記第２及び第３の実施形態のいずれの場合にも、第１の実施形態の場合と同様の作用効果を奏することができるのは勿論である。
【００３９】
尚、本発明は上記第１ないし第３の実施形態に限定されるものではなく、その他種々の実施形態を包含するものである。例えば上記第１の実施形態では、スピーカ３４として、コーン形ダイナミックスピーカを用いた場合について述べたが、本発明は、これに限らず、ホーン形、ドーム形、リボン形、コンデンサ形又は圧電形などのスピーカを用いた場合にも適用することができる。その際、スピーカの発音部の形状が円形以外の場合、スピーカの発音部から発せられる音を前方に通すために光源基板に形成する開口部の形状としては、スピーカの発音部の形状と同一又は近似するようにすればよい。ここで、近似する形状とは、スピーカの発音部が矩形状である場合に光源基板の開口部を円形状又は楕円形状にしたり、スピーカの発音部が円形状である場合に光源基板の開口部を矩形状にしたりすることなどを含む意味である。
【００４０】
また、上記第１の実施形態では、ランプカバー３７の放音部４４としては、光源基板３６の開口部４３の形状に対応して略円形状にかつ多数の小孔により形成したが、本発明は、ランプカバー３７の放音部４４の形状を矩形状にしたり、放音部４４を網目状に形成したりしてもよい。
【００４１】
さらに、本発明は上記各実施形態の如きスロットマシンＡに限らず、パチンコ機などその他の遊技機にも同様に適用することができるのは言うまでもない。
【図面の簡単な説明】
【００４２】
【図１】本発明の第１の実施形態に係るスロットマシンの正面図である。
【図２】上記スロットマシンの前扉の上部ユニットの正面図である。
【図３】図２のＸ−Ｘ線における拡大断面図である。
【図４】上記上部ユニットからランプカバーを取り外した状態の正面図である。
【図５】同斜視図である。
【図６】上部ランプの光源基板の正面図である。
【図７】上記光源基板上における導光体の取付状態を示す正面図である。
【図８】第２の実施形態を示し，（ａ）は導光体の正面図、（ｂ）は（ａ）のＹ−Ｙ線における断面図である。
【図９】第３の実施形態に示す導光体の斜視図である。
【符号の説明】
【００４３】
Ａ    スロットマシン（遊技機）
１    前扉
３０    上部ユニット
３２    枠フレーム
３４    スピーカ
３４ａ  発音部
３６    光源基板
３７    ランプカバー
４１    発光ダイオード（光源）
４３    開口部
４４    放音部
４５，６０，７０    導光体
５０    放音部
５３    開口部
６０ａ  リング部
６０ｂ  ブレード部
７０ａ  脚部
【図１】
2006026278.tif 000003
【図２】
2006026278.tif 000004
【図３】
2006026278.tif 000005
【図４】
2006026278.tif 000006
【図５】
2006026278.tif 000007
【図６】
2006026278.tif 000008
【図７】
2006026278.tif 000009
【図８】
2006026278.tif 000010
【図９】
2006026278.tif 000011